(57)【要約】【課題】クッション性、寝心地を損なうことなく、清潔に保つことができるマットレスを提供する。【解決手段】バネ部材２を収納したバネユニット３と、該バネユニット３の上面又は／及び下面に設けたクッション部材１０と、このクッション部材１０とバネユニット３の外周部全体を表装材１２で覆い、該表装材１２及びクッション部材１０が、前記バネユニット３に対し着脱可能に設けられ、前記クッション部材１０を、耐洗濯性を有する部材とした。【選択図】図２
2010284425.tif 000002
【特許請求の範囲】
【請求項１】
バネ部材を収納したバネユニットと、該バネユニットの上面又は／及び下面に設けたクッション部材と、このクッション部材とバネユニットの外周部全体を表装材で覆い、
該表装材及びクッション部材が、前記バネユニットに対し着脱可能に設けられ、
前記クッション部材が、耐洗濯性を有する部材であることを特徴とするマットレス。
【請求項２】
前記表装材及びクッション部材を、一体に形成したことを特徴とする請求項１記載のマットレス。
【発明の詳細な説明】
【技術分野】
【０００１】
本発明はマットレスに関するものである。
【背景技術】
【０００２】
ポケットコイルを用いたマットレスは、多数のコイルスプリングが夫々独立して伸縮し、身体の体形に応じてコイルスプリングが個々に変形するため、クッション性が良く寝心地がよい。
【０００３】
従来、前記ポケットコイルを用いたマットレス１０１として、図４に示すように、スプリングコイル１０２を一つ一つの袋１０３に入れて連結し、その連結したものの側部全周をウレタン１０４で囲い、前記全ての袋１０３の上部と下部の全体をフエルト１０５で覆い、これらの外周部をウレタンシート１０６とポリエステル綿１０８と羊毛１０９等で覆い、その表面全体を表布地１１０で覆ったものが知られている。
【発明の概要】
【発明が解決しようとする課題】
【０００４】
しかし、従来のポケットコイルを用いたマットレス１０１は、金属製のコイルスプリング１０２を使用し、かつ、該コイルスプリング１０２の周りを前記ウレタン１０４等のクッション材が覆うとともに、該クッション材等が取外しできないようにマットレス全体が一体に形成されているため、クッション材のみを取外してクリーニングすることはできなかった。そのため、マットレス１０１を清潔に保つ方法として、マットレス１０１の表面をカバーで覆い、このカバーを洗濯することで対応していた。
【０００５】
また、仮に、クッション材のみを取外すことができたとしても、従来のポケットコイルを用いたマットレス１０１のクッション材としては、ウレタンシート１０６や綿１０８やラテックスが使用されている。
【０００６】
このウレタンシート１０６やラテックスは、水洗いをすると劣化し弾力性などの機能が低下してしまう。また、ドライクリーニングを行った場合においても、ウレタンやラテックスが溶剤によりふやけてしまい変形し易くなってしまう。綿１０８も水を含んだ場合には、へたり易くなってしまう。
【０００７】
このため、ポケットコイルを用いたマットレス１０１に使用されているクッション材を、水洗いやドライクリーニングなどで十分にクリーニングすることは困難であった。
【０００８】
そこで、本発明は、クッション性、寝心地を損なうことなく、清潔に保つことができるマットレスを提供することを目的とするものである。
【課題を解決するための手段】
【０００９】
前記課題を解決するために、請求項１記載の発明は、バネ部材を収納したバネユニットと、該バネユニットの上面又は／及び下面に設けたクッション部材と、このクッション部材とバネユニットの外周部全体を表装材で覆い、
該表装材及びクッション部材が、前記バネユニットに対し着脱可能に設けられ、
前記クッション部材が、耐洗濯性を有する部材であることを特徴とするものである。
【００１０】
請求項２記載の発明は、請求項１記載の発明において、前記表装材及びクッション部材を、一体に形成したことを特徴とするものである。
【発明の効果】
【００１１】
本発明のマットレスによれば、表装材及びクッション部材を、前記バネユニットに対し着脱可能に設け、クッション部材を、耐洗濯性を有する部材で構成したことにより、金属製等のバネ部材を有するバネユニットから、表装材及びクッション部材を取外し、この取外したクッション部材を、家庭用又は業務用の洗濯機等で洗濯（クリーニング）することができ、マットレスを清潔に保つことができる。
【００１２】
請求項２記載の発明によれば、更に、表装材及びクッション部材を一体にしたことにより、表装材及びクッション部材のバネユニットに対する着脱操作が容易となる。
【図面の簡単な説明】
【００１３】
【図１】本発明の実施例１におけるマットレスの斜視図。
【図２】図１の部分断面斜視図。
【図３】図１の部分拡大断面模式図。
【図４】従来のポケットコイルを用いたマットレスの部分断面斜視図。
【発明を実施するための最良の形態】
【００１４】
本発明を実施するための最良の形態を図１乃至図３に示す実施例に基づいて説明する。
【実施例１】
【００１５】
図１乃至図３は本実施例１を示す。
図１は本発明の本実施例１を示すマットレス１の斜視図、図２は図１の部分断面斜視図、図３は部分拡大断面模式図である。
【００１６】
前記マットレス１は、図２、図３に示すように、バネ部材２を収納したバネユニット３を有する。バネユニット３は、図２に示すように、上面が長方形状の直方体形状に形成されている。バネユニット３の長手方向と短手方向の夫々の長さは、マットレス１の上部に人が寝ることのできる大きさであれば、任意の長さに設定することができ、バネユニット３の厚みは、使用するバネ部材２に応じて任意に設定する。
【００１７】
前記バネ部材２として、例えば、ボンネルコイルのような連結式のものや、ミラコイル、スーパーラステックコイルのような連続式のもの、ポケットコイルのような独立式のもの等の任意のバネ部材を使用することができ、本実施例１においては、図２に示すようなポケットコイル２ａを使用した。
【００１８】
本実施例１に用いたポケットコイル２ａは、図２に示すように、各スプリングコイル５を、夫々可撓性を有する円筒状の袋４に入れ、その軸が上下方向に位置するようにして、夫々の袋４を左右方向に多数配列し、該配列した多数の袋４全体の上面と下面と側面を目の粗い布６で皮包し、上面と下面の外周縁に鋼線等の枠線７を配置し、前記布６を枠線７に対して固定したものである。
【００１９】
使用するスプリングコイル５のクッション性は、全て同じとしても良いし、マットレス１の上部に寝る人の体形等に応じ、例えば、腰部が位置する部分は硬くし、頭部が位置する部分は腰部よりやや柔らかくし、肩部や足先が位置する部分は、頭部よりも柔らかく設定しても良い。また、袋４の配列も、並行配列や交互配列等任意の配列とすることができ、その配列方法も、全ての袋４を同じ配列方法により配列しても良いし、マットレス１の上部に寝る人の体形等に応じて配列方法を部分的に変更しても良い。
【００２０】
前記バネ部材２であるポケットコイル２ａの上面と下面と側面全体を夫々板状のクッション材８で覆い、隣接する相互のクッション材８を連結してバネユニット３を構成している。前記クッション材８としては、任意のクッション材を用いることができるが、本実施例１においては、ポリエステル短繊維と低融点接着繊維を混綿し、熱圧縮成形して厚みと圧縮特性を調整した硬綿（ファイバークッション）を使用し、その硬さは２６ｋｇ／ｍ3である。
【００２１】
前記バネユニット３の上面と下面と側面には、耐洗濯性を有するクッション部材１０で被覆されている。該クッション部材１０の少なくとも１つの側面の長手方向全体に亘って、開口部１５が形成されている。本実施例１においては、該開口部１５を、左右両方の長手方向の側面と一方の短手方向の側面の計３つの側面に、その３つの側面の長手方向全体に亘って連続して形成した。前記クッション部材１０はバネユニット３と別体に形成され、前記クッション部材１０は、その開口部１５よりバネユニット３が出し入れ可能な袋状に形成されている。
【００２２】
前記耐洗濯性を有するクッション部材１０とは、水洗いやドライクリーニング等の洗濯をした場合にも、洗濯の前後においてクッション部材の弾力性等の性能の差が殆ど生じないものをいい、耐洗濯性を有するクッション部材１０として、ポリエステル短繊維と低融点接着繊維を混綿し、熱圧縮成形して厚みと圧縮特性を調整した硬綿（ファイバークッション）を使用することが好ましい。
【００２３】
前記クッション部材１０を、本実施例１においては、図３に示すように、２６ｋｇ／ｍ3のファイバークッションを用いた第１クッション材１０ａと、２０ｋｇ／ｍ3のファイバークッションを用いた第２クッション材１０ｂと、２０ｋｇ／ｍ3のファイバークッションを用いた第３クッション材１０ｃを積層して構成した。前記クッション部材１０は、第３クッション材１０ｃが外側に位置するように設けられている。
【００２４】
前記第１クッション材１０ａと第２クッション材１０ｂの大きさは、前記バネユニット３の上面及び下面全体を覆うことができる大きさに設定され、第３クッション材１０ｃはバネユニット３の上部及び下部及び側部を覆うことができる大きさに設定されている。すなわち、バネユニット３の外部全体は、第３クッション材１０ｃにより覆われている。
【００２５】
前記第３クッション材１０ｃの外部全体は、図１、図２に示すように、耐洗濯性を有する表装材１２で覆われている。
【００２６】
第１クッション材１０ａと、第２クッション材１０ｂと、第３クッション材１０ｃと、表装材１２は、図１、図２に示すように、部分的にキルティング１１等を施すことにより一体化されている。
【００２７】
前記表装材１２の少なくとも１つの側面には、その長手方向全体に亘って、開口部１３が形成され、該開口部１３は、前記クッション部材１０の開口部１５と対応した位置に設けられている。本実施例１においては、該開口部１３を、図１，２に示すように、左右両方の長手方向の側面と一方の短手方向の側面の計３つの側面に、その３つの側面の長手方向全体に亘って連続して形成した。該開口部１３は、表装材１２を上下に分断するとともに、この分断部を係合手段１４により開け閉め可能に構成されている。該係合手段１４として、ファスナー、面ファスナー等任意の手段を用いることができ、本実施例においては、ファスナーを使用した。
【００２８】
前記により、クッション部材１０及び表装材１２は、前記開口部１３，１５を通じてバネユニット３に対して着脱可能に設けられている。
【００２９】
以上の構成により、本発明のマットレス１は、次のような作用、効果を発揮する。
本発明のマットレスによれば、クッション部材１０及び表装材１２を、金属製等のバネ部材２を有するバネユニット３に対し着脱可能に設け、かつ、このクッション部材１０及び表装材１２を、耐洗濯性を有する部材で構成したことにより、水洗等が困難なバネユニット３から、洗濯（クリーニング）可能なクッション部材１０及び表装材１２を取外し、この取外したクッション部材１０及び表装材１２を、家庭用又は業務用の洗濯機等で洗濯（クリーニング）することができる。このため、マットレス１を清潔に保つことができる。
【００３０】
一方、本発明のマットレス１においてもバネ部材２を使用し、本実施例においては、ポケットコイル２ａを使用していることにより、マットレス１のクッション性や寝心地は、従来のマットレス１０１と比べて遜色のないものである。
【００３１】
また、従来のコイルスプリングを使用したマットレス１０１においては、コイルスプリングコイル１０２を入れた袋１０３の外部を、ウレタン１０４、フエルト１０５、ウレタンシート１０６、ポリエステル綿１０８、羊毛１０９等で覆っているため、マットレスの通気性が良くなく、湿度の高い場所ではへたりが早いという問題点が生じた。しかし、本発明のマットレス１は、クッション部材１０及び表装材１２及びバネユニット３のクッション材８をファイバークッションで構成したことにより、従来のマットレス１０１と比較して高い通気性を有し、従来のマットレス１０１の問題点を解消することができる。
【００３２】
また、クッション部材１０及び表装材１２を一体にしたことにより、クッション部材１０及び表装材１２のバネユニット３に対する着脱操作を容易に行うことができる。
【００３３】
また、クッション部材１０及び表装材１２を、バネユニット３と分離可能とし、クッション部材１０とバネユニット３のクッション材８をファイバークッションで構成したことにより、分別廃棄等を容易に行なうことができる。
【実施例２】
【００３４】
前記実施例１においては、第１クッション材１０ａと第２クッション材１０ｂと第３クッション材１０ｃを、バネユニットの上面側と下面側の両面に設けたが、これらのクッション材１０ａ，１０ｂ，１０ｃをバネユニット３の上面又は下面の一方、すなわち、マットレス１を使用する際に上面とする側のみに設けても良い。
【００３５】
更に、第１クッション材１０ａ，１０ｂ，１０ｃを、バネユニット３の側面を覆うように、その側部を延長して設けても良い。
【００３６】
その他の構造は、前記実施例１と同様である。
本実施例２においても、前記実施例１と同様の作用、効果を発揮できる。
【実施例３】
【００３７】
前記実施例１又は２においては、第３クッション材１０ｃを、バネユニット３の側面の側にも延長して設けたが、該第３クッション材１０ｃをバネユニット３の側面の側には設けず、第３クッション材１０ｃを、バネユニット３の上面側又は／及び下面側のみに設け、バネユニット３の側面の側は、前記表装材１２のみとしても良い。
【００３８】
その他の構造は、前記実施例１，２と同様である。
本実施例３においても、前記実施例１，２と同様の作用、効果を発揮できる。
【実施例４】
【００３９】
前記実施例１乃至３においては、クッション部材１０及び表装材１２を一体に構成したが、クッション部材１０と表装材１２とを別体に構成してもよい。
【００４０】
その他の構造は、前記実施例１乃至３と同様である。
本実施例３においても、前記実施例１乃至３と同様の作用、効果を発揮できる。
【符号の説明】
【００４１】
１  マットレス
２  バネ部材
３  バネユニット
１０  クッション部材
１２  表装材
【図１】
2010284425.tif 000003
【図２】
2010284425.tif 000004
【図３】
2010284425.tif 000005
【図４】
2010284425.tif 000006